(57)【要約】【課題】熱動形過負荷継電器の動作電流地の安定化を図るために、反転ばねを操作する釈放レバーの形状を改良する。【解決手段】過電流の通電により湾曲変位する主バイメタルと、該主バイメタルの湾曲に応動変位するシフターと、該シフターの変位により支軸を介して回動する釈放レバーと、釈放レバーで駆動される接点反転機構とを外郭ケースに内装配備した熱動形過負荷継電器において、前記接点反転機構は釈放レバーに連係させた反転ばねと、反転ばねに連結したスライダと、スライダの動きに応動して開閉動作する出力接点と、リセットボタンとの組立体からなり、反転ばねをトリップさせるために反転ばねの作用部を押圧する釈放レバーの押圧部を、支軸の軸方向に対して線接触構造とする。【選択図】図２
2011238466.tif 000002
【特許請求の範囲】
【請求項１】
過電流の通電により湾曲変位する主バイメタルと、該主バイメタルの湾曲に応動変位するシフターと、該シフターの変位により支軸を介して回動する釈放レバーと、釈放レバーで駆動される接点反転機構とを外郭ケースに内装配備した熱動形過負荷継電器において、前記接点反転機構は釈放レバーに連係させた反転ばねと、反転ばねに連結したスライダと、スライダの動きに応動して開閉動作する出力接点と、リセットボタンとの組立体からなり、反転ばねをトリップさせるために反転ばねの作用部を押圧する釈放レバーの押圧部を支軸の軸方向に対して線接触構造としたことを特徴とする熱動形過負荷継電器。
【請求項２】
請求項１に記載の熱動形過負荷継電器において、釈放レバーの押圧部形状を円弧状としたことを特徴とする熱動形過負荷継電器。
【請求項３】
請求項１に記載に熱動形過負荷継電器において、釈放レバーの押圧部寸法を反転ばねの作用部寸法よりも軸方向に大きくしたことを特徴とする熱動形過負荷継電器。
【発明の詳細な説明】
【技術分野】
【０００１】
本発明は、電磁接触器などに組み合わせて使用する熱動形過負荷継電器（サーマルリレー）に関し、詳しくは過電流を検知したときに接点の切り替えを行う接点反転機構に関する。
【背景技術】
【０００２】
まず、頭記した熱動形過負荷継電器の代表的な従来構造を図４に示す（例えば、特許文献１参照）。
図４において、１は樹脂モールド製の外郭ケース、２は主回路に接続したヒータ２ａの発熱を受けて湾曲する主バイメタル、３は主バイメタル２の自由端に連係させたシフター、４はシフター３の変位に従動する釈放レバー、５は釈放レバー４で駆動される出力接点の開閉機構で、該開閉機構５は釈放レバー４に連係させた反転ばね６と、反転ばね６に連結したスライダ７と、スライダ７の動きに応動して開閉動作する出力接点８（ａ接点）および９（ｂ接点）と、リセットスイッチ１０との組立体からなる。また、１１は前記釈放レバー４を揺動可能に軸支保持した調整リンク、１２は調整リンク１１の上端側に連係させて整定電流を調整する調整ダイヤルである。
上記熱動形過負荷継電器の動作は周知の通りであり、主回路に流れる過負荷電流により主バイメタル２が湾曲すると、シフター３を介して釈放レバー４が支軸１１ｂを中心に回転して反転ばね６を反転させ、開閉機構５のスライダ７を駆動して出力接点８，９を反転させて接点信号を出力する。
【先行技術文献】
【特許文献】
【０００３】
【特許文献１】特開平２−８６０２４号公報
【発明の概要】
【発明が解決しようとする課題】
【０００４】
ところで、前記した従来の熱動形過負荷継電器は、過電流によって主バイメタルが湾曲すると、シフターを介して釈放レバーが支軸を中心に回転して反転ばねを反転させるが、図７（ａ）に示すように、その反転ばねを反転させるための釈放レバーの押圧部の形状が凸形状でＲ部を有し、また釈放レバーの押圧部が反転ばねを押す作用部についてもＲ形状であり、互いにＰの位置で直交して点接触構造となっている。この釈放レバーは支軸を中心に回転する構造であり、回転をスムーズにするためには支軸の軸方向に一定のガタを持たせている。すなわち、図７（ｂ）に示すように、このガタにより反転ばねに接触する押圧部は支軸の軸方向にＰの位置からズレる可能性がある。
また、反転ばねは薄板を曲げ寄せて作用部をお碗状に形成した板ばねであり、釈放レバーと反転ばねの作用部を押し込んでいき、反転ばね内の内部応力が一定以上になると、一気にお碗の形状が反転するものである。このため作用部の接触位置が変化すると、内部応力の発生状態が変化するため、反転するまでの押し込み量が変化してしまう。
熱動形過負荷継電器は電流の発熱による主バイメタルの湾曲によって反転ばねを動作させる構造であるから、反転ばねが動作するまでの押し込み量が変化することは、熱動形過負荷継電器が動作する電流値が変化してしまうことになり、安定した動作ができないという問題がある。
本発明は、上記の点に鑑みなされたものであり、その目的は、釈放レバーの押圧部と反転ばねの作用部にガタによるズレが発生しても反転ばねの押し込み量を常に一定にすることができ、動作電流値が安定化できる熱動形過負荷継電器を提供することにある。
【課題を解決するための手段】
【０００５】
上記目的を達成するために、本発明によれば、過電流の通電により湾曲変位する主バイメタルと、該主バイメタルの湾曲に応動変位するシフターと、該シフターの変位により支軸を介して回動する釈放レバーと、釈放レバーで駆動される接点反転機構とを外郭ケースに内装配備した熱動形過負荷継電器において、前記接点反転機構は釈放レバーに連係させた反転ばねと、反転ばねに連結したスライダと、スライダの動きに応動して開閉動作する出力接点と、リセットボタンとの組立体からなり、反転ばねをトリップさせるために反転ばねを押圧する釈放レバーの押圧部を支軸の軸方向に対して線接触構造とし（請求項１）、具体的には次記のような態様で構成する。
（１）釈放レバーの押圧部形状を円弧状とする（請求項２）。
（２）釈放レバーの押圧部寸法を反転ばねの作用部寸法よりも軸方向に大きくする（請求項３）。
【発明の効果】
【０００６】
上記の構成によれば、釈放レバーの押圧部と反転ばねの作用部を線接触構造にすることにより、釈放レバーが支軸の軸方向にズレが生じても常に線接触しているため、反転ばねが反転するまでの押し込み量が一定となり、動作電流の安定化が可能となる。
【図面の簡単な説明】
【０００７】
【図１】本発明の実施例を示す熱動形過負荷継電器の内部構造を示す正面図
【図２】本発明の釈放レバーと反転ばね部の拡大斜視図
【図３】図２に示した釈放レバーの拡大斜視図
【図４】従来例を示す熱動形過負荷継電器の内部構造を表す正面図
【図５】従来の釈放レバーと反転ばね部の拡大斜視図
【図６】図５に示した釈放レバーの拡大斜視図
【図７】（ａ）は、図５に示した釈放レバーと反転ばね部の正常な位置関係を示す拡大斜視図，（ｂ）は、（ａ）の状態から釈放レバーと反転ばね部の押圧部が位置ズレをした状態を示す拡大斜視図
【発明を実施するための形態】
【０００８】
以下、この発明の実施の形態を図示の実施例に基づいて説明する。なお、図１〜３はこの実施例の１〜２に対応する熱動形過負荷継電器の構成図であり、図４〜７に対応する部材には同じ符号を付してその説明は省略する。
【実施例１】
【０００９】
図１に示す本実施例の熱動形過負荷継電器は、外郭ケース１内に、主バイメタル２の自由端に係合したシフター３の変位に従動する釈放レバー４と、釈放レバー４の動作により接点が切り替わる接点開閉機構５と、接点開閉機構５をリセットするリセットボタン１０とを備えている。
接点開閉機構５は、調整リンク１１と、この調整リンク１１の支軸１１ｂに回動自在に支持された釈放レバー４と、この釈放レバー４に固定され、シフター３に係合する補償バイメタル４ａとを備えている。
上記構成による熱動形過負荷継電器の動作は従来構造と同様であり、主回路に調整ダイヤル１２で設定した整定電流を超える過電流が流れて主バイメタル２が湾曲し、シフター３を介して補償バイメタル４ａが変位すると、釈放レバー４は調整リンク１１との連結軸を支点に反時計方向に回動して反転ばね６を押す。これにより、反転ばね６がスナップ動作して出力接点８，９が切り替え動作する。
ここで、釈放レバー４と反転ばね６の関係は、図２〜３に示すように、反転ばね６をトリップさせるために反転ばね６の作用部６ａを押圧する釈放レバー４の押圧部４ｂを、支軸１１ｂの軸方向に対して線接触するような構造としている。
それにより、釈放レバー４が支軸１１ｂの軸方向にズレが生じても常に線接触しているため、反転ばね６が反転するまでの押し込み量が一定となり、動作電流の安定化が可能となる。
【００１０】
また、釈放レバー４の押圧部４ｂの寸法４ｃは、反転ばね６の作用部６ａの寸法６ｃよりも大きくすることが良い。
【符号の説明】
【００１１】
１  外郭ケース
２  主バイメタル
３  シフター
４  釈放レバー
４ａ  補償バイメタル
４ｂ  押圧部
５  接点開閉機構
６  反転ばね
６ａ  作用部
７  スライダ
８  ，９  出力接点
１０  リセットスイッチ
１１  調整リンク
１１ａ  軸受部
１１ｂ  支軸
１２  調整ダイヤル
【図１】
2011238466.tif 000003
【図２】
2011238466.tif 000004
【図３】
2011238466.tif 000005
【図４】
2011238466.tif 000006
【図５】
2011238466.tif 000007
【図６】
2011238466.tif 000008
【図７】
2011238466.tif 000009